(57)【要約】【課題】質問者などのために特別な機器を準備する必要がなく、また質問者などが特別の操作を行う必要がなく、質問などに対応した画像を表示装置に表示できるようにすること。【解決手段】表示装置５に表示するための複数の画像ＧＰを記憶する画像記憶部１５Ａ、画像記憶部に記憶された画像を表示装置に表示させるために出力する画像出力部１２Ａ、複数の画像のそれぞれに対応して設定されたキーワードを記憶するキーワード記憶部１５Ｂ、入力される音声を解析してその音声に対応する語句ＷＳを出力する音声解析部１３１、語句ＷＳに基づいてキーワード記憶部を検索する検索部１４、検索部により検索されたキーワードに対応した画像を表示装置に表示するように画像出力部を制御する制御表示部１２２を有する。【選択図】図３
2011248444.tif 000002
【特許請求の範囲】
【請求項１】
表示装置に表示される画像を制御する表示制御装置であって、
前記表示装置に表示するための複数の画像を記憶する画像記憶部と、
前記画像記憶部に記憶された複数の画像のうちの１つまたは複数の画像を前記表示装置に表示させるために出力する画像出力部と、
前記複数の画像のそれぞれに対応して設定された１つまたは複数のキーワードを記憶するキーワード記憶部と、
音声入力手段から入力される音声を解析してその音声に対応する語句を出力する音声解析部と、
前記音声解析部から出力される語句に基づいて前記キーワード記憶部を検索する検索部と、
前記検索部により検索されたキーワードに対応した前記画像を前記表示装置に表示するように前記画像出力部を制御する制御表示部と、
を有することを特徴とする表示制御装置。
【請求項２】
前記制御表示部は、前記検索部によって検索されたキーワードに対応して複数の画像を前記表示装置に表示するように制御したときは、前記検索部によってさらに検索されたキーワードによってそれら複数の画像を絞り込んで前記表示装置に表示するように制御する、
請求項１記載の表示制御装置。
【請求項３】
前記画像出力部は、画像の表示モードとして、前記表示装置に表示する画像をユーザの操作入力に基づいて切り替える通常表示モードと、前記制御表示部の制御によって表示する制御表示モードとを有する、
請求項１または２記載の表示制御装置。
【請求項４】
前記画像記憶部には特定画像が記憶されており、
前記画像出力部は、前記通常表示モードにおいて前記表示装置に前記特定画像を表示するように出力したときに、自動的にまたはユーザの操作入力に基づいて、前記制御表示モードに切り替えられる、
請求項３記載の表示制御装置。
【請求項５】
前記特定画像は、前記通常表示モードにおいて表示すべき画像の最後に表示するように設定されている、
請求項４記載の表示制御装置。
【請求項６】
前記キーワード記憶部に記憶されるキーワードには、前記画像に対して付与された属性情報であるタイトルに含まれる語句が含まれる、
請求項１ないし５のいずれかに記載の表示制御装置。
【請求項７】
前記キーワード記憶部に記憶されるキーワードとして、それぞれの画像のコンテンツの種類、色、または形状を示す語句が含まれる、
請求項１ないし６のいずれかに記載の表示制御装置。
【請求項８】
前記音声入力手段から入力される音声を解析して当該音声を発した発音者を特定する発音者特定部と、
発音者に対応する属性情報を記憶する属性情報記憶部と、
前記発音者特定部によって特定された発音者に対応する属性情報を前記属性情報記憶部から取得し、取得した属性情報に対応する語句を前記検索部に出力する属性語句検出部と、
を有する請求項１ないし７のいずれかに記載の表示制御装置。
【請求項９】
請求項４または５記載の表示制御装置を用いたプレゼンテーション方法であって、
前記通常表示モードによってプレゼンテーションのための画像を前記表示装置に順次表示するステップと、
プレゼンテーションを行った後で前記制御表示モードに切り替えるステップと、
前記制御表示モードにより前記音声入力手段から入力される音声に応じて画像を切り替えて前記表示装置に表示するステップと、
を有するプレゼンテーション方法。
【発明の詳細な説明】
【技術分野】
【０００１】
本発明は、表示装置に表示される画像を制御する表示制御装置、およびその表示制御装置を用いたプレゼンテーション方法に関する。
【背景技術】
【０００２】
従来において、プロジェクタまたはモニタ（例えば、薄型ディスプレイ装置）などの表示装置を用いたプレゼンテーションがしばしば行われている。
【０００３】
プレゼンテーションを実施するに際して、発表者は、多数の画像（画像データ）を資料（資料画像）として予め準備しておく。発表者は、プレゼンテーションにおいて、準備した資料画像を、ＰＣ（パーソナルコンピュータ）などと接続した表示装置によって表示し、表示されたそれぞれの画像を参照しながら説明や解説を行う。
【０００４】
つまり、プレゼンテーション中は、発表者またはＰＣの操作者が、発表者の発表に合わせて順次ページ送りを行う。発表の終了後には、通常、質疑応答の時間が設けられる。質疑応答においては、質問者（聴講者）の質問内容に応じて、資料画像の該当するページを表示したい場合がある。
【０００５】
そのような場合に、通常は、発表者または操作者がＰＣを操作し、質問内容に対応するページを探して表示する。しかし、表示したページが質問者の考えているページと一致しない場合がある。また、資料画像のページ数が多い場合に、該当するページを探すのに時間がかかる場合がある。
【０００６】
このような問題に関して、プレゼンテーションにおいて発表者が画像を順次表示している間に、質問者が必要に応じて端末から識別情報を送信することにより、識別情報と画像とを関連付けて記憶しておき、識別情報を持つ画像を再表示させることが提案されている（特許文献１）。
【０００７】
また、複数の端末からの表示手段の操作を許容するローカル操作許容モードと、その操作を禁止するローカル操作禁止モードとを設け、質疑応答においてはローカル操作許容モードとして質問者が直接にページ送りを行うようにすることが提案されている（特許文献２）。
【０００８】
また、プレゼンテーションの最中において、質問者の発言を個々の質問者ごとに識別可能にすることにより、個々の質問者が発言したときの表示画像を記憶しておき、音声と画像とを関連付けることが開示されている（特許文献３）。
【先行技術文献】
【特許文献】
【０００９】
【特許文献１】特開２００２−３５１４３４
【特許文献２】特開２００２−３５１４３５
【特許文献３】特開２００９−６５２６２
【発明の概要】
【発明が解決しようとする課題】
【００１０】
上に述べた特許文献１の方法では、資料画像を表示している間のみしか質問することができないので、質問者が後で質問を思いついても質問することができない。したがって、質問中に関連質問を思いついたときなどに融通がきかない。また、質問者の全員がリモコン装置を持って特別な操作を行う必要があり、準備が大変でありコスト的にも不利である。
【００１１】
また、特許文献２の方法では、質問者自らがページを切り替えて探し出す必要があり、質問者の操作が大変である。また、質問者用に端末を準備しなければならず、コスト的に不利である。
【００１２】
また、特許文献３の方法では、質問者が特別な操作をする必要はないが、質問者はプレゼンテーションの発表時に発言しなくてはならず、発表の後で質疑応答の時間を設けるスタイルのプレゼンテーションには適用することができない。
【００１３】
本発明は、上述の問題に鑑みてなされたもので、質問者などのために特別な機器を準備する必要がなく、また質問者などが特別の操作を行う必要がなく、質問などに対応した画像を表示装置に表示できるようにすることを目的とする。
【課題を解決するための手段】
【００１４】
本発明に係る装置は、表示装置に表示される画像を制御する表示制御装置であって、前記表示装置に表示するための複数の画像を記憶する画像記憶部と、前記画像記憶部に記憶された複数の画像のうちの１つまたは複数の画像を前記表示装置に表示させるために出力する画像出力部と、前記複数の画像のそれぞれに対応して設定された１つまたは複数のキーワードを記憶するキーワード記憶部と、音声入力手段から入力される音声を解析してその音声に対応する語句を出力する音声解析部と、前記音声解析部から出力される語句に基づいて前記キーワード記憶部を検索する検索部と、前記検索部により検索されたキーワードに対応した前記画像を前記表示装置に表示するように前記画像出力部を制御する制御表示部と、を有する。
【発明の効果】
【００１５】
本発明によると、質問者などのために特別な機器を準備する必要がなく、また質問者などが特別の操作を行う必要がなく、質問などに対応した画像を表示装置に表示することができる。
【図面の簡単な説明】
【００１６】
【図１】本実施形態の表示システムの概略の構成例を示す図である。
【図２】本実施形態の表示システムの概略の構成を機能的に示すブロック図である。
【図３】表示制御装置の機能的な構成の例を示すブロック図である。
【図４】キーワード記憶部に記憶されたキーワードデータベースの例を示す図である。
【図５】画像記憶部に記憶された画像の例を示す図である。
【図６】各画像に対して設定されたキーワードの例を示す図である。
【図７】表示システムを用いたプレゼンテーションの例を示す図である。
【図８】表示システムを用いたプレゼンテーションの他の例を示す図である。
【図９】表示システムにおける処理動作の概略の流れを示すフローチャートである。
【図１０】質問によって画像の表示を切り替える処理動作の流れを示すフローチャートである。
【発明を実施するための形態】
【００１７】
図１において、表示システム１はプレゼンテーションのために用いることができる。また、プレゼンテーションの準備のために用いることもできる。
【００１８】
図１に示すように、表示システム１は、端末装置３、音声入力装置４、およびプロジェクタ（表示装置）５を備える。これらはＬＡＮ（Local Aria Network) または専用ケーブルによって互いに接続され、それぞれ通信が可能である。
【００１９】
端末装置３は、例えばパーソナルコンピュータであり、ノート型またはデスクトップ型のものなどを用いることができる。また、端末装置３に代えて、コンピュータの機能を有する種々の装置、例えば画像形成装置または画像処理装置などを用いることも可能である。
【００２０】
音声入力装置４は、マイクロフォンＭＣから入力された音声（音声信号）を増幅し、デジタルの音声データに変換する。また、必要に応じて、音声認識または音声解析などのための種々の処理を行うこともある。マイクロフォンＭＣは、プレゼンテーションの会場において、質問者のために１つまたは複数設けられる。マイクロフォンＭＣおよび音声入力装置４は、本発明における音声入力手段の例である。
【００２１】
プロジェクタ５は、資料画像として端末装置３から出力される画像（画像データ）を、図示しないスクリーンに投影して表示する。プロジェクタ５に代えて薄型ディスプレイ装置を用いてもよい。
【００２２】
これら、端末装置３、音声入力装置４、およびプロジェクタ５は、これらの全体または一部が一体的に組み込まれた装置を用いることも可能である。例えば、端末装置３の中に音声入力装置４を組み込んでもよい。その場合に、マイクロフォンＭＣは端末装置３に直接に接続される。また、端末装置３の中に音声入力装置４およびプロジェクタ５を組み込んでもよい。
【００２３】
図２において、端末装置３は、全体制御部１１、画像制御部１２、音声認識部１３、検索部１４、記憶部１５、および操作部１６などを有する。
【００２４】
全体制御部１１は、端末装置３の各ブロックを制御し、その全体を制御する。
【００２５】
画像制御部１２は、記憶部１５に記憶された画像（画像データ）を制御し、そのうちの１つまたは複数の画像をプロジェクタ５によって投影して表示させるよう構成して出力する。画像制御部１２は、また、検索部１４により検索されたキーワードに対応した画像をプロジェクタ５で表示するように制御する。画像制御部１２には、後で述べる画像出力部１２Ａが含まれる。
【００２６】
音声認識部１３は、音声入力装置４から入力される音声データに基づいて、音声認識、音声解析、発音者特定などのための処理を行う。音声認識部１３からは、入力された音声データに対応する語句、その音声を発した発音者を特定した発音者データ、発音者データに基づいて取得した属性情報に対応する語句などが出力される。
【００２７】
検索部１４は、音声認識部１３から出力される語句に基づいて記憶部１５を検索する。つまり、検索部１４は、音声認識部１３からの語句に対応するキーワードＫＷがないかどうかを検索する。対応するキーワードＫＷがあったときに、例えば、そのキーワードＫＷに対応するページＰＧを出力する。またはキーワードＫＷそれ自体を出力する。
【００２８】
記憶部１５は、プロジェクタ５により表示するための複数の画像ＧＰ、複数の画像ＧＰのそれぞれに対応して設定された１つまたは複数のキーワードＫＷなどを記憶する。画像ＧＰは、写真、線画、図形、文字などを含む。
【００２９】
記憶部１５は、半導体メモリまたは磁気ディスク装置などによって構成することが可能である。記憶部１５には、後述する画像記憶部１５Ａ、キーワード記憶部１５Ｂなどが設けられる。
【００３０】
操作部１６は、ユーザがこれを操作することにより、画像の表示開始、通常表示モードにおけるページ送り、モードの切り替え、その他の操作入力などのための操作を行う。操作部１６は、キーボードまたはマウスなどによって構成することが可能である。
【００３１】
全体制御部１１、画像制御部１２、音声認識部１３、検索部１４などは、ＲＯＭなどに記憶されたプログラム（コンピュータプログラム）をＣＰＵなどが実行することによって実現することが可能である。そのようなプログラムは、適当な記憶媒体を介してインストールすることが可能であり、またネットワークを介してダウンロードすることも可能である。また、それらのプログラムの実行によるソフトウエアとともに、適当なハードウエアとの組み合わせによっても実現可能である。
【００３２】
図３において、画像出力部１２Ａは、画像記憶部１５Ａに記憶された画像ＧＰのうちの１つまたは複数の画像ＧＰを、表示装置５に表示させるために出力する。
【００３３】
画像出力部１２Ａには、通常表示部１２１および制御表示部１２２が設けられる。通常表示部１２１は、表示装置５に表示する画像ＧＰを、ユーザの操作入力に基づいて切り替えるように制御する。例えば、ユーザが所定のボタンを押しまたはクリックする度に、表示される画像ＧＰのページ送りを行う。通常表示部１２１の制御によって表示されるモードが「通常表示モード」である。
【００３４】
制御表示部１２２は、検索部１４で検索されたキーワードＫＷに対応した画像ＧＰを、表示装置５に表示するように制御する。例えば、制御表示部１２２から指定されたページＰＧの画像ＧＰを、画像記憶部１５Ａから読み出して表示装置５に出力する。複数のページＰＧが指定された場合には、その複数の画像ＧＰを画像記憶部１５Ａから読み出し、１つの画面において同時に表示可能なように縮小して並べて配置した状態で出力する。
【００３５】
制御表示部１２２によって表示されるモードが「制御表示モード」である。制御表示モードでは、質問者の質問が発せられる度に、質問の内容や声に基づいてキーワードＫＷが選択され、それに対応した画像ＧＰがリアルタイムで絞り込まれる。そして、一旦１つの画像ＧＰが確定されると、その画像Ｇが固定して表示される。その場合に、例えば音声認識部１３における処理が停止される。
【００３６】
また次の質問が始まった場合に、画像Ｇの固定を解除することによって、音声認識部１３における処理が再開され、その質問に応じた画像ＧＰが選択され、確定される。
【００３７】
次に、音声認識部１３には、音声解析部１３１、発音者特定部１３２、属性語句検出部１３３、および属性情報記憶部１３４が設けられる。
【００３８】
音声解析部１３１は、マイクロフォンＭＣ（音声入力装置４）から入力される音声（音声データ）を解析してその音声に対応する語句（語句データ）ＷＳを出力する。
【００３９】
発音者特定部１３２は、マイクロフォンＭＣ（音声入力装置４）から入力される音声を解析して当該音声を発した発音者を特定するデータを出力する。
【００４０】
属性語句検出部１３３は、発音者特定部１３２から発音者を特定するデータが出力されたときに、その発音者に対応する属性情報を属性情報記憶部１３４から取得する。そして、取得した属性情報に対応する語句、例えば属性情報に含まれる語句ＷＺを、検索部１４に出力する。
【００４１】
属性情報記憶部１３４は、発音者に対応する属性情報を記憶する。属性情報として、例えば、発音者の所属部署、役職、専門分野、業務担当、所属プロジェクトなどがある。具体的には、例えば、「技術部」「営業部」「開発部」「情報処理プロジェクト」などである。
【００４２】
画像記憶部１５Ａには、プレゼンテーションで用いられる多数の画像ＧＰを含む資料ＧＳが記憶される。１つのプレゼンテーションで用いられる複数の画像ＧＰは、１つの資料ＧＳとしてグループ化されている。画像記憶部１５Ａには複数の資料ＧＳを記憶することが可能である。
【００４３】
キーワード記憶部１５Ｂには、各資料ＧＳに対応して作成されたキーワードデータベースＤＢが記憶される。したがって、例えば、キーワード記憶部１５Ｂには、複数の各資料ＧＳについて、それぞれに含まれる複数の画像ＧＰとそれぞれに対応するキーワードとの対応が、テーブルなどの種々の形式によって格納される。
【００４４】
なお、画像記憶部１５Ａおよびキーワード記憶部１５Ｂは、同じ記憶部内における記憶領域を区画して設けることも可能である。また、それらに記憶されたデータが互いに関連しているので、それらのデータを互いに関連付けて記憶させておくことも可能である。
【００４５】
図４にはキーワードデータベースＤＢの一部の例が示されている。
【００４６】
図４において、キーワードデータベースＤＢ１は、資料番号ＮＧＳ、ページＰＧ、キーワードＫＷ、および設定方法ＳＨなどの項目を有する。
【００４７】
資料番号ＮＧＳは、キーワードデータベースＤＢ内に複数存在する各資料ＧＳを識別するための識別情報である。この例では、資料番号ＮＧＳは「１」である。
【００４８】
ページＰＧは、１つの資料ＧＳ内における各画像ＧＰを識別するための識別情報である。ページＰＧは、プレゼンテーションにおいて表示する順に、「１」「２」「３」…と付されている。
【００４９】
キーワードＫＷは、各画像ＧＰに対応して設定される。キーワードＫＷは、１つの画像ＧＰに対して１つの場合もあり、複数の場合もある。キーワードＫＷとして用いられる語句は次のとおりである。
【００５０】
つまり、例えば、画像ＧＰに対して付与された属性情報、例えばその中のタイトルに含まれる語句が用いられる。その場合に、タイトルが複合語からなる場合に、複合語を構成する各単語が用いられる。また、各画像ＧＰのコンテンツの種類、色、または形状を示す語句が用いられる。
【００５１】
コンテンツの種類としては、例えば、グラフ、図、表、アニメーションなどがある。コンテンツの色は、画像ＧＰで用いられた色、特に目立つ色、印象的な色、画像ＧＰの全体的な色などである。コンテンツの形状としては、画像ＧＰで用いられた形状、特に目立つ形状、印象的な形状、画像ＧＰの全体的な形状などである。
【００５２】
なお、これらの属性情報は、画像ＧＰをプレゼンテーション用として取り扱うアプリケーションプログラムによる属性情報として管理される場合もある。その場合に、そのようなアプリケーションプログラムで管理された属性情報を、キーワードデータベースＤＢ１におけるキーワードＫＷとして自動的に転送するよう処理することも可能である。
【００５３】
また、キーワードＫＷを、ユーザが自由に選択して設定することが可能である。例えば、その画像ＧＰまたは説明において、説明に用いる語句、聴講者からでるであろう質問の内容、質問で用いられそうな語句、および、質問しそうな部署または部門などを想定し、キーワードＫＷを選択して入力する。
【００５４】
設定方法ＳＨは、キーワードＫＷを何に基づいて選択し設定したかを示す項目である。例えば、画像ＧＰのタイトルからキーワードＫＷを選択した場合には「タイトル」が、画像ＧＰのコンテンツの種類からキーワードＫＷを選択した場合には「種類」が、画像ＧＰのコンテンツの色からキーワードＫＷを選択した場合には「色」が、それぞれ設定される。ユーザが自由に選択して設定した場合には、設定方法ＳＨは「フリー」となる。
【００５５】
なお、図４に示すキーワードデータベースＤＢ１は、次に説明する図５および図６に示す画像ＧＰと対応している。
【００５６】
図５には資料番号ＮＧＳが「１」である資料ＧＳについての画像ＧＰの例が示されている。
【００５７】
図５において、資料ＧＳは、１７個の画像ＧＰで構成されている。各画像ＧＰにおいて、右上部分にページＰＧが示されている。なお、図では示されていないが、画像ＧＰには、赤、青、緑、黄、紫などのカラーによって示される部分がある。
【００５８】
図５に示される画像ＧＰは、ページＰＧが「１」から「１４」までが、プレゼンテーションにおける通常表示モードにおいて順次表示される。つまり、ページＰＧが「１４」の画像ＧＰは、これから質疑応答に入ることを示す特定画像ＧＰＴであり、プレゼンテーションにおける通常表示モードにおいて表示すべき画像の最後に表示するように設定されている。
【００５９】
通常表示モードにおいて特定画像ＧＰＴを表示したときに、自動的にまたはユーザの操作入力に基づいて、通常表示モードから制御表示モードに切り替えられる。これについては後述する。
【００６０】
また、ページＰＧが「１５」から「１７」までの画像は、質疑応答のために特に作成した参考資料としての画像ＧＰＳである。
【００６１】
図６には、図５に示された資料ＧＳに対応して、各画像ＧＰに設定されたキーワードＫＷの例が示されている。
【００６２】
図６において、例えば、ページＰＧ「１」の画像ＧＰに対して、キーワードＫＷとして、この画像ＧＰのタイトルである「表紙」が設定されている。ページＰＧ「４」の画像ＧＰに対して、キーワードＫＷとして、この画像ＧＰのタイトルである「効果」「予測」「詳細」、および画像ＧＰのコンテンツの種類である「表」が設定されている。
【００６３】
次に、表示システム１を用いたプレゼンテーションの方法について説明する。
【００６４】
上に述べたように、プレゼンテーションの実施前の準備として、資料ＧＳを準備し、各画像ＧＰに対してキーワードＫＷを設定しておく。
【００６５】
プレゼンテーションの実施に際して、ユーザである発表者は、まず、画像記憶部１５Ａに記憶された多数の資料ＧＳの中から該当する資料ＧＳを選択する。そして、通常表示モードにより、その資料ＧＳの画像ＧＰをページＰＧにしたがって順次表示しながら、必要な説明や発表を行う。
【００６６】
プレゼンテーションにおける最終のページＰＧである特定画像ＧＰＴが表示されると、その時点で、通常表示モードから制御表示モードに切り替られる。この切り替えは、自動的に行うことも可能であり、発表者の操作入力によって切り替えることも可能である。
【００６７】
制御表示モードにおいて、質疑応答が行われる。質問者が質問すると、その音声がマイクロフォンＭＣから入力され、その音声データが音声認識部１３に入力される。
【００６８】
音声認識部１３において、質問者の質問に含まれる語句ＷＳ、および発音者特定部１３２により特定された発音者に基づいて取得された属性情報に対応する語句ＷＺが抽出され、出力される。
【００６９】
それらの語句ＷＳ、ＷＺに基づいて、検索部１４は、キーワード記憶部１５ＢのキーワードデータベースＤＢ１を検索する。検索によりヒットした場合に、検索部１４は、ヒットしたページＰＧを出力する。
【００７０】
画像出力部１２Ａは、検索部１４により指定されたページＰＧの画像ＧＰを画像記憶部１５Ａから読み出し、表示装置５に出力する。このとき、検索部１４から複数のページＰＧが指定されれば、それに対応する複数の画像ＧＰを読み出し、それらを１つの画面に入るようにレイアウトして出力する。
【００７１】
表示装置５は、それらの画像ＧＰを表示する。質問者は、表示装置５で表示された画像ＧＰを見て、それでよい場合にはそのまま質問を続ける。複数の画像ＧＰが表示されている場合に、質問者が質問を続けることにより、その質問に基づいてさらに画像ＧＰの絞り込みが行われ、通常、最終的には１つの画像ＧＰのみが表示される。
【００７２】
発表者は、最終的に表示された画像ＧＰが質問者の意図する画像ＧＰであることが分かれば、その画像ＧＰを確定するための操作入力を行う。この操作入力として、例えば所定のボタンを押す。また、画像ＧＰを確定するために、発表者の操作入力に代えて、１つの画像ＧＰを表示してから所定の時間を経過した時点で、自動的にその画像ＧＰに確定するように制御してもよい。
【００７３】
また、質問に対する説明において、発表者は、必要に応じて参考資料である画像ＧＰＳを表示することが可能である。
【００７４】
また、画像ＧＰを確定した後の質問が終わったときに、発表者または操作者は、次の別の質問に備えるために画像ＧＰの確定を解除する。
【００７５】
次に、このようなプレゼンテーションをいくつかの具体例で示す。
【００７６】
図７（Ａ）において、プレゼンテーションの最終の画像ＧＰである特定画像ＧＰＴが表示されている。特定画像ＧＰＴが表示されると、ユーザの操作入力などに応じて、通常表示モードから制御表示モードに切り替えられる。
【００７７】
制御表示モードになると、まず、図７（Ｂ）に示すように、プレゼンテーションで用いられた全ての画像ＧＰが一覧画像ＳＮとして表示される。一覧画像ＳＮの表示への切り替えは、自動的に行われるようにしてもよく、発表者などの操作入力に基づいて行われるようにしてもよい。
【００７８】
質問者は、必要に応じて一覧画像ＳＮを参照し、質問を行う。例えば、質問者は、「その費用のところで…」、「…の説明のところで…」などと発言し、何に関する質問であるかを言う。
【００７９】
質問者の質問から得られた語句ＷＳ、ＷＺに基づいて、上に述べたように一覧画像ＳＮが絞り込まれていく。図７（Ｃ）には、「費用」をキーワードＫＷとして２つの画像ＧＰに絞られた絞り込み画像ＧＳ１が表示されている。この状態で、質問者は、さらに、例えば「グラフの方…」などと発言すると、図７（Ｄ）に示すように、「グラフ」をキーワードＫＷとして絞り込まれた１つの画像（絞り込み画像）ＧＰ５が表示される。
【００８０】
１つの画像ＧＰ５が表示された状態で、発表者の操作入力などによって、その画像ＧＰ５の表示が固定される。そして、質問者による質問が続行される。質問者による質問が終了すると、発表者などの操作入力などによって、再び図７（Ｂ）に示す一覧画像ＳＮが表示される。そして、別の質問に基づいて、上と同様に画像ＧＰの絞り込みが行われる。
【００８１】
図８に示す例では、図８（Ｂ）の一覧画像ＳＮを表示した状態で、質問者が「□□部の○○です…」などと発言すると、「□□部」をキーワードＫＷとして３つの画像ＧＰに絞られ、図８（Ｃ）に示すような絞り込み画像ＧＳ２が表示される。
【００８２】
また、図８（Ｃ）に示す絞り込み画像ＧＳ２が表示された状態で、質問者が「納期についてですが…」などと発言すると、「納期」をキーワードＫＷとして２つの画像ＧＰに絞られ、図８（Ｄ）に示すような絞り込み画像ＧＳ３が表示される。
【００８３】
このようにして、最終的に１つの画像ＧＰに絞り込まれる。ただし、発表者の操作入力によって、２つ以上の画像ＧＰが絞り込み画像ＧＳとして表示された状態で、表示画像を確定することが可能である。この場合には、複数の画像ＧＰを表示した状態で、質問が続行されることとなる。
【００８４】
このように、質疑応答においては制御表示モードに切り替えられ、質問者の質問の内容に応じて画像ＧＰが自動的に絞り込まれる。したがって、質問などに対応した画像ＧＰを容易に迅速に表示することが可能である。
【００８５】
しかも、従来のように質問者などのために特別な機器を準備する必要がなく、また質問者などが特別の操作を行う必要がないので、操作が容易であり、またコスト的に有利である。
【００８６】
因みに、質問者は、質問を行う場合に、画像ＧＰのページ番号などのようにページを一意に特定する発言を行うことは稀であり、「○○の説明のところで…」などのようにキーワードで質問箇所を指定することが多いものと想定される。また、質問者は、説明文中のキーワードではなく、「グラフのところ…」、「図の中で…」などのように、コンテンツの形態で指定することもしばしばあると想定される。さらに、質間者は、質問に先立って自分の所属する部署、役職などを言う場合も多いと想定される。
【００８７】
このように、質問する側の立場によって質問したい箇所が異なるが、その質問者の発言（質問）の内容に基づいて検索のための語句ＷＳ、ＷＺを検出し、これに基づいて画像ＧＰの絞り込みを行うので、正確にかつ迅速に質問に対応した適切な画像ＧＰを表示することができる。
【００８８】
また、質問者が所属部署などを言わない場合でも、発音者（質問者）を特定してその部署などを検出し、これに基づいて画像ＧＰの絞り込みを行うので、より正確にかつ迅速に質問に対応した画像ＧＰを表示することができる。
【００８９】
また、絞り込みが行われた結果、複数の画像ＧＰが表示さてた場合でも、その状態で画像ＧＰを確定することができるので、質問に関連する複数の画像ＧＰを見ながら質問を続行することができる。
【００９０】
次に、表示システム１における処理動作の概略の流れをフローチャートに沿って説明する。
【００９１】
図９において、プレゼンテーションを行うために、発表中状態、つまり通常表示モードに設定する（＃１１）。この状態で、発表者または操作者が操作入力を行うことにより、画像ＧＰのページ送りが行われる（＃１２）。
【００９２】
質疑応答に入ることを示す特定画像ＧＰＴが表示されると（＃１３でイエス）、そのプレゼンテーションで用いられた資料ＧＳの全部の画像ＧＰが一覧画像ＳＮとして表示される（＃１４）。この状態では、質疑応答中状態となり、表示モードが制御表示モードに切り替えられ（＃１５）、質問者の質問（発言）の内容などに応じて画像ＧＰの絞り込みが行われる。
【００９３】
図１０において、制御表示モードでは、質問があった場合に（＃２１でイエス）、質問者の質問に応じて、検索のための語句ＷＳ、ＷＺが生成される（＃２２）。生成された語句ＷＳ、ＷＺに基づいて、キーワードデータベースＤＢ１が検索される。キーワードデータベースＤＢ１の中で該当の語句がヒットした場合に（＃２３でイエス）、そのページＰＧの画像ＧＰが表示装置５により表示される（＃２４）。
【００９４】
表示された画像ＧＰが２つ以上である場合には、質問者の発言の内容に応じて画像ＧＰの絞り込みが行われる。表示された画像ＧＰが１つになった場合、または発表者などの操作入力に応じて、質問における画像ＧＰが確定される（＃２５）。
【００９５】
このように、表示システム１を用いたプレゼンテーションにおいては、通常表示モードによってプレゼンテーションのための画像ＧＰを表示装置５に順次表示するステップと、プレゼンテーションを行った後で制御表示モードに切り替えるステップと、制御表示モードにより音声入力装置４から入力される音声に応じて画像ＧＰを切り替えて表示装置５に表示するステップとを有する。
【００９６】
上に述べた実施形態において、キーワードデータベースＤＢ１、画像記憶部１５Ａ、属性情報記憶部１３４の内容、構成、項目などは、上に述べた以外に種々変更することができる。
【００９７】
上に述べた実施形態において、画像制御部１２、画像出力部１２Ａ、音声認識部１３、検索部１４、記憶部１５、画像記憶部１５Ａ、キーワード記憶部１５Ｂ、端末装置３、音声入力装置４、表示装置５、または表示システム１の各部または全体の構成、構造、回路、処理内容、処理順序、処理タイミング、画面の内容、表示方法などは、本発明の主旨に沿って適宜変更することができる。
【符号の説明】
【００９８】
１  表示システム
３  端末装置３
４  音声入力装置
５  表示装置
１２  画像制御部
１２Ａ  画像出力部
１３  音声認識部
１４  検索部
１５  記憶部
１５Ａ  画像記憶部
１５Ｂ  キーワード記憶部
１６  操作部
１２１  通常表示部
１２２  制御表示部
１３１  音声解析部
１３２  発音者特定部
１３３  属性語句検出部
１３４  属性情報記憶部
ＧＰ  画像
ＧＰＴ  特定画像
ＫＷ  キーワード
ＷＳ、ＷＺ  語句
ＤＢ  キーワードデータベース
【図１】
2011248444.tif 000003
【図２】
2011248444.tif 000004
【図３】
2011248444.tif 000005
【図４】
2011248444.tif 000006
【図５】
2011248444.tif 000007
【図６】
2011248444.tif 000008
【図７】
2011248444.tif 000009
【図８】
2011248444.tif 000010
【図９】
2011248444.tif 000011
【図１０】
2011248444.tif 000012